(57)【要約】      （修正有）【課題】袋の入口部をワンタッチで縛ることができる袋の結び目構造を提供する。【解決手段】二枚からなり、３辺が閉まっており、上部の入口部が開いている袋胴体部１０と、袋胴体部１０の上部一側に入口部に隣り合って位置し、袋胴体部１０に貫設された第１ホール２１と、第１ホール２１に隣り合って袋胴体部１０に貫設された第２ホール２２と、第２ホール２２から離隔して袋胴体部１０の上部他側に位置し、袋胴体部１０に貫設された第３ホール２３と、袋胴体部１０の裏面に配置された結び目ワイヤ３０とを含み、結び目ワイヤ３０は、袋胴体部１０の裏面から第１ホール２１を貫通して前面部に一部が抜け出て第１ループ３１をなし、袋胴体部１０の裏面から第２ホール２２を貫通して前面部に一部が抜け出た後、第１ループ３１を貫通して第２ループ３２をなし、袋胴体部１０の裏面から第３ホール２３を貫通して前面部に一部が抜け出て取っ手部３４をなす。【選択図】図１
0003221850.tif 000002
【実用新案登録請求の範囲】
【請求項１】
二枚からなり、３辺が閉まっており、上部の入口部が開いている袋胴体部（１０）と、
前記袋胴体部（１０）の上部一側に前記入口部に隣り合って位置し、前記袋胴体部（１０）に貫設されたた第１ホール（２１）と、
前記第１ホール（２１）に隣り合って前記袋胴体部（１０）に貫設されたた第２ホール（２２）と、
前記第２ホール（２２）から離隔して前記袋胴体部（１０）の上部他側に位置し、前記袋胴体部（１０）に貫設されたた第３ホール（２３）と、
前記袋胴体部（１０）の裏面に配置された結び目ワイヤ（３０）とを含み、
前記結び目ワイヤ（３０）は、
前記袋胴体部（１０）の裏面から前記第１ホール（２１）を貫通して前面部に一部が抜け出て第１ループ（３１）をなし、
前記袋胴体部（１０）の裏面から前記第２ホール（２２）を貫通して前面部に一部が抜け出た後、前記第１ループ（３１）を貫通して第２ループ（３２）をなし、
前記袋胴体部（１０）の裏面から前記第３ホール（２３）を貫通して前面部に一部が抜け出て取っ手部（３４）をなす、袋の結び目構造。
【考案の詳細な説明】
【技術分野】
【０００１】
本考案は袋の結び目構造に関する。
【背景技術】
【０００２】
お茶又はコーヒーを浸出して飲むために、袋（ティーバッグ）で包装する。袋は、内部のお茶又はコーヒーは外部に抜け出ることができないが、水は通過することができる不織布又は綿織物素材からなることができる。
【０００３】
袋は二枚の織物からなっており、３辺は閉まっており、上部に入口部が形成されている。袋の入口部を開けてお茶又はコーヒーを入れて閉めなければならない。このとき、袋の入口部を簡便に閉める方法が必要である。
【０００４】
一方、袋は梨（ｐｅａｒ）のような果物を包んで害虫から保護することもできる。このとき、容易な作業のために、梨を包んでいる袋をワンタッチ方式で易しく縛らなければならない。
【考案の概要】
【考案が解決しようとする課題】
【０００５】
本考案は袋の入口部をワンタッチで縛ることができる袋の結び目構造を提供しようとする。
【課題を解決するための手段】
【０００６】
本考案の一態様によると、
【０００７】
二枚からなり、３辺が閉まっており、上部の入口部が開いている袋胴体部（１０）と、
【０００８】
前記袋胴体部（１０）の上部一側に前記入口部に隣り合って位置し、前記袋胴体部（１０）に貫設されたた第１ホール（２１）と、
【０００９】
前記第１ホール（２１）に隣り合って前記袋胴体部（１０）に貫設されたた第２ホール（２２）と、
【００１０】
前記第２ホール（２２）から離隔して前記袋胴体部（１０）の上部他側に位置し、前記袋胴体部（１０）に貫設されたた第３ホール（２３）と、
【００１１】
前記袋胴体部（１０）の裏面に配置された結び目ワイヤ（３０）とを含み、
【００１２】
前記結び目ワイヤ（３０）は、
【００１３】
前記袋胴体部（１０）の裏面から前記第１ホール（２１）を貫通して前面部に一部が抜け出て第１ループ（３１）をなし、
【００１４】
前記袋胴体部（１０）の裏面から前記第２ホール（２２）を貫通して前面部に一部が抜け出た後、前記第１ループ（３１）を貫通して第２ループ（３２）をなし、
【００１５】
前記袋胴体部（１０）の裏面から前記第３ホール（２３）を貫通して前面部に一部が抜け出て取っ手部（３４）をなす、袋の結び目構造が提供される。
【考案の効果】
【００１６】
本考案は袋の入口部をワンタッチで縛ることができる袋の結び目構造を提供する。
【図面の簡単な説明】
【００１７】
【図１】本考案の一実施例による袋の結び目構造の正面図である。
【図２】本考案の一実施例による袋の結び目構造を説明する例示図（平面図）である。
【図３】本考案の一実施例による袋の結び目構造を説明する例示図（平面図）である。
【図４】本考案の一実施例による袋の結び目構造を説明する例示図（正面図）である。
【考案を実施するための形態】
【００１８】
二枚からなり、３辺が閉まっており、上部の入口部が開いている袋胴体部１０と、
【００１９】
前記袋胴体部１０の上部一側に前記入口部に隣り合って位置し、前記袋胴体部１０に貫設された第１ホール２１と、
【００２０】
前記第１ホール２１に隣り合って前記袋胴体部１０に貫設された第２ホール２２と、
【００２１】
前記第２ホール２２から離隔して前記袋胴体部１０の上部他側に位置し、前記袋胴体部１０に貫設された第３ホール２３と、
【００２２】
前記袋胴体部１０の裏面に配置された結び目ワイヤ３０とを含み、
【００２３】
前記結び目ワイヤ３０は、
【００２４】
前記袋胴体部１０の裏面から前記第１ホール２１を貫通して前面部に一部が抜け出て第１ループ３１をなし、
【００２５】
前記袋胴体部１０の裏面から前記第２ホール２２を貫通して前面部に一部が抜け出た後、前記第１ループ３１を貫通して第２ループ３２をなし、
【００２６】
前記袋胴体部１０の裏面から前記第３ホール２３を貫通して前面部に一部が抜け出て取っ手部３４をなす袋の結び目構造が提供される。
【００２７】
考案の実施のための形態
【００２８】
以下では、本考案の好適な一実施例を添付図面に基づいて詳細に説明する。これは本考案に属する技術分野で通常の知識を有する者が本考案を容易に実施することができるほどに詳細に説明するためのものであり、これによって本考案の思想及び範疇が限定されることを意味しない。
【００２９】
図１は本考案の一実施例による袋の結び目構造の正面図、図２及び図３は本考案の一実施例による袋の結び目構造を説明する例示図（平面図）、図４は本考案の一実施例による袋の結び目構造を説明する例示図（正面図）である。
【００３０】
本実施例による袋の結び目構造１００は、
【００３１】
二枚からなり、３辺が閉まっており、上部の入口部が開いている袋胴体部１０と、
【００３２】
前記袋胴体部１０の上部一側に前記入口部に隣り合って位置し、前記袋胴体部に貫設されたた第１ホール２１と、
【００３３】
前記第１ホール２１に隣り合って前記袋胴体部１０に貫設されたた第２ホール２２と、
【００３４】
前記第２ホール２２から離隔して前記袋胴体部１０の上部他側に位置し、前記袋胴体部１０に貫設されたた第３ホール２３と、
【００３５】
前記袋胴体部１０の裏面に配置された結び目ワイヤ３０とを含み、
【００３６】
前記結び目ワイヤ３０は、
【００３７】
前記袋胴体部１０の裏面から前記第１ホール２１を貫通して前面部に一部が抜け出て第１ループ３１をなし、
【００３８】
前記袋胴体部１０の裏面から前記第２ホール２２を貫通して前面部に一部が抜け出た後、前記第１ループ３１を貫通して第２ループ３２をなし、
【００３９】
前記袋胴体部１０の裏面から前記第３ホール２３を貫通して前面部に一部が抜け出て取っ手部３４をなす。
【００４０】
袋胴体部１０は二枚からなり、３辺が閉まっている。袋胴体部１０の上部の入口部は開いている。袋胴体部１０は不織布シート、綿織物だけでなく紙又はプラスチックフィルムのような素材から製造されることができる。二枚の不織布シートにおいて３辺は閉まっており、上部の入口は開いている。
【００４１】
袋胴体部１０の上部一側に第１ホール２１が形成されている。 第１ホール２１は袋胴体部１０の入口部に隣り合って位置し、袋胴体部１０に貫設される。
【００４２】
第２ホール２２は第１ホール２１に隣り合って位置し、袋胴体部１０に貫設される。
【００４３】
第３ホール２３は第２ホール２２から離隔して袋胴体部１０の上部他側に位置し、前記袋胴体部１０に貫設される。
【００４４】
結び目ワイヤ３０は袋胴体部１０の裏面に配置され、前面で結び目を形成する。結び目ワイヤ３０は一本の紐から形成される。本実施例の結び目ワイヤ３０の取っ手部３４を引っ張れば、袋胴体部１０の入口部が締められる。すなわち、ワンタッチで袋胴体部１０の入口部を締めることができるようになる。
【００４５】
以下、結び目ワイヤ３０の結び目構造をより詳細に説明する。
【００４６】
結び目ワイヤ３０は、袋胴体部１０の裏面から第１ホール２１を貫通して前面部に一部が抜け出て第１ループ３１をなす。結び目ワイヤ３０は初めに裏面に配置される。第１ホール２１を通じて結び目ワイヤ３０を前方に引っ張れば第１ループ３１が形成される。
【００４７】
袋胴体部１０の裏面に配置された結び目ワイヤ３０を第２ホール２２を通じて前方に引っ張れば、一部が抜け出て第２ループ３２をなす。また、第２ループ３２は第１ループ３１を貫通する。
【００４８】
袋胴体部１０の裏面に配置された結び目ワイヤ３０を第３ホール３３を通じて前方に引っ張れば、取っ手部３４が抜け出て第２ループ３２を貫通する。取っ手部３４は第３ループ３３をなすこともできる。
【００４９】
その結果、図１のような結び目構造が袋胴体部１０の入口部に形成される。
【００５０】
図２及び図３は、取っ手部３４を引っ張る場合、袋胴体部１０の入口が締められる過程を示す。結び目ワイヤ３０の取っ手部３４を引っ張る場合、緩い部分の結び目部が先に締められる。第２ホール２２と第３ホール２３間の幅が第２ホール２２と第１ホール２１間の幅より広いから、第２ホール２２と第３ホール２３間の結び目ワイヤ３０部分が相対的に緩く結ばれている。よって、この部分の結び目ワイヤ３０が締められる。特に、第３ホール２３に隣り合う取っ手部３４を引っ張るから、第３ホール２３に隣り合う結び目ワイヤ３０部分が締められる。
【００５１】
第２ホール２２と第３ホール２３間の結び目ワイヤ３０部分が締められた後、第１ホール２１と第２ホール２２間の結び目ワイヤ３０部分が締められる。２部分で結び目が形成されれば、全体的な結び目構造が堅たく縛られる。その結果、袋胴体部１０の入口部が縛られて閉まる。その結果、袋胴体部１０の内部の食品原料は外部に流出しなくなる。
【００５２】
本実施例の袋はコーヒー、お茶のような食品原料を入れて縛ることもでき、梨のような果物を包んでワンタッチ方式で結び目ワイヤを引っ張って縛ることもできる。このような用途以外にも使用者の選択によって多様な用途に使うことができる。
【００５３】
以上で本考案の実施例について詳細に説明したが、これは一実施例に過ぎなく、これが本考案の請求範囲を限定するものではない。本実施例に基づく均等な範囲まで当業者が変形及び追加するものも本考案の権利範囲に属するものであると言える。
【産業上の利用可能性】
【００５４】
本考案はお茶（ｔｅａ）に係わる市場、又は果物包装、産業用包装に係わる産業に利用可能である。
【図１】
0003221850.tif 000003
【図２】
0003221850.tif 000004
【図３】
0003221850.tif 000005
【図４】
0003221850.tif 000006